【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
共通探索空間ＣＳＳ拡張物理ダウンリンク制御チャネルＥＰＤＣＣＨのための第１の仮想セルＩＤを判断することと、
ユーザ機器探索空間ＵＥＳＳ  ＥＰＤＣＣＨのための第２の仮想セルＩＤを判断することと、
前記判断された第１および第２の仮想セルＩＤに基づいてＥＰＤＣＣＨを処理することとによって特徴づけられた、ワイヤレス通信の方法。
【請求項２】
前記第１の仮想セルＩＤが物理セルＩＤ  ＰＣＩと同じである、請求項１に記載の方法。
【請求項３】
前記第１の仮想セルＩＤを静的に更新することと、前記第２の仮想セルＩＤを動的に更新することとをさらに備える、請求項１に記載の方法。
【請求項４】
前記ＣＳＳ  ＥＰＤＣＣＨのための複数の異なる仮想セルＩＤを判断することであって、前記複数の異なる仮想セルＩＤのうちの第１の仮想セルＩＤが第１のタイプの無線ネットワーク一時識別子ＲＮＴＩに対応し、前記複数の異なる仮想セルＩＤのうちの第２の仮想セルＩＤが前記第１のタイプとは異なる第２のタイプのＲＮＴＩに対応する、判断することをさらに備える、請求項１に記載の方法。
【請求項５】
前記第１のタイプのＲＮＴＩが、システム情報ＳＩ−ＲＮＴＩ、ページングＲＮＴＩ、またはランダムアクセスＲＮＴＩのうちの少なくとも１つを備え、前記第２のタイプのＲＮＴＩが、送信電力制御ＴＰＣ物理アップリンク共有データチャネルＰＵＳＣＨ  ＲＮＴＩまたはＴＰＣ物理アップリンク制御チャネルＰＵＣＣＨ  ＲＮＴＩのうちの少なくとも１つを備える、請求項４に記載の方法。
【請求項６】
前記判断された第１の仮想セルＩＤをブロードキャストすることをさらに備える、請求項１に記載の方法。
【請求項７】
前記ＣＳＳ  ＥＰＤＣＣＨまたは前記ＵＥＳＳ  ＥＰＤＣＣＨのうちの少なくとも１つにおいてマルチメディアブロードキャストマルチキャストサービスＭＢＭＳ無線ネットワーク一時識別子ＲＮＴＩをサポートすることをさらに備える、請求項１に記載の方法。
【請求項８】
前記ＣＳＳ  ＥＰＤＣＣＨに、より高い優先度を割り当てることをさらに備える、請求項１に記載の方法。
【請求項９】
前記ＵＥＳＳ  ＥＰＤＣＣＨに、より高い優先度を割り当てることをさらに備える、請求項１に記載の方法。
【請求項１０】
所定のパラメータに基づいて前記ＣＳＳ  ＥＰＤＣＣＨおよび前記ＵＥＳＳ  ＥＰＤＣＣＨに優先度を付けることをさらに備える、請求項１に記載の方法。
【請求項１１】
他の信号に割り当てられた少なくとも１つのリソース要素ＲＥを判断することと、
前記ＣＳＳ  ＥＰＤＣＣＨを少なくとも１つのリソース要素にマッピングすることと、
前記マッピングされた少なくとも１つのリソース要素の周りの前記ＵＥＳＳ  ＥＰＤＣＣＨをレートマッチングすることであって、前記ＣＳＳ  ＥＰＤＣＣＨが、前記ＵＥＳＳ
ＥＰＤＣＣＨのレートマッチングパラメータとは異なるレートマッチングパラメータを有する、レートマッチングすることとをさらに備える、請求項１に記載の方法。
【請求項１２】
共通探索空間ＣＳＳ拡張物理ダウンリンク制御チャネルＥＰＤＣＣＨのための第１の仮想セルＩＤを判断するための手段と、
ユーザ機器探索空間ＵＥＳＳ  ＥＰＤＣＣＨのための第２の仮想セルＩＤを判断するための手段と、
前記判断された第１および第２の仮想セルＩＤに基づいてＥＰＤＣＣＨを処理するための手段とによって特徴づけられた、ワイヤレス通信のための装置。
【請求項１３】
前記第１の仮想セルＩＤが物理セルＩＤ  ＰＣＩと同じである、請求項１２に記載の装置。
【請求項１４】
前記第１の仮想セルＩＤを静的に更新することを行うための手段と、前記第２の仮想セルＩＤを動的に更新することとを行うための手段をさらに備える、請求項１２に記載の装置。
【請求項１５】
ワイヤレスネットワークにおけるワイヤレス通信のためのコンピュータプログラム製品であって、
請求項１から１１の方法のうちのいずれか１つを実行するための非一時的プログラムコードを記録した非一時的コンピュータ可読媒体を備える、コンピュータプログラム製品。
【手続補正２】
【補正対象書類名】明細書
【補正対象項目名】００７１
【補正方法】変更
【補正の内容】
【００７１】
[0075]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
[Ｃ１]
共通探索空間（ＣＳＳ）拡張物理ダウンリンク制御チャネル（ＥＰＤＣＣＨ）のための第１の仮想セルＩＤを判断することと、
ユーザ機器探索空間（ＵＥＳＳ）ＥＰＤＣＣＨのための第２の仮想セルＩＤを判断することと、
前記判断された第１および第２の仮想セルＩＤに基づいてＥＰＤＣＣＨを処理することと
を備える、ワイヤレス通信の方法。
[Ｃ２]
前記第１の仮想セルＩＤが物理セルＩＤ（ＰＣＩ）と同じである、請求項１に記載の方法。
[Ｃ３]
前記第１の仮想セルＩＤを静的に更新することと、前記第２の仮想セルＩＤを動的に更新することとをさらに備える、請求項１に記載の方法。
[Ｃ４]
前記ＣＳＳ  ＥＰＤＣＣＨのための複数の異なる仮想セルＩＤを判断することであって、前記複数の異なる仮想セルＩＤのうちの第１の仮想セルＩＤが第１のタイプの無線ネットワーク一時識別子（ＲＮＴＩ）に対応し、前記複数の異なる仮想セルＩＤのうちの第２の仮想セルＩＤが前記第１のタイプとは異なる第２のタイプのＲＮＴＩに対応する、判断することをさらに備える、請求項１に記載の方法。
[Ｃ５]
前記第１のタイプのＲＮＴＩが、システム情報（ＳＩ）−ＲＮＴＩ、ページングＲＮＴＩ、またはランダムアクセスＲＮＴＩのうちの少なくとも１つを備え、前記第２のタイプのＲＮＴＩが、送信電力制御（ＴＰＣ）物理アップリンク共有データチャネル（ＰＵＳＣＨ）ＲＮＴＩまたはＴＰＣ物理アップリンク制御チャネル（ＰＵＣＣＨ）ＲＮＴＩのうちの少なくとも１つを備える、請求項４に記載の方法。
[Ｃ６]
前記判断された第１の仮想セルＩＤをブロードキャストすることをさらに備える、請求項１に記載の方法。
[Ｃ７]
前記ＣＳＳ  ＥＰＤＣＣＨまたは前記ＵＥＳＳ  ＥＰＤＣＣＨのうちの少なくとも１つにおいてマルチメディアブロードキャストマルチキャストサービス（ＭＢＭＳ）無線ネットワーク一時識別子（ＲＮＴＩ）をサポートすることをさらに備える、請求項１に記載の方法。
[Ｃ８]
前記ＣＳＳ  ＥＰＤＣＣＨに、より高い優先度を割り当てることをさらに備える、請求項１に記載の方法。
[Ｃ９]
前記ＵＥＳＳ  ＥＰＤＣＣＨに、より高い優先度を割り当てることをさらに備える、請求項１に記載の方法。
[Ｃ１０]
所定のパラメータに基づいて前記ＣＳＳ  ＥＰＤＣＣＨおよび前記ＵＥＳＳ  ＥＰＤＣＣＨに優先度を付けることをさらに備える、請求項１に記載の方法。
[Ｃ１１]
他の信号に割り当てられた少なくとも１つのリソース要素（ＲＥ）を判断することと、
前記ＣＳＳ  ＥＰＤＣＣＨを前記少なくとも１つのリソース要素にマッピングすることと、
前記マッピングされた少なくとも１つのリソース要素の周りの前記ＵＥＳＳ  ＥＰＤＣＣＨをレートマッチングすることであって、前記ＣＳＳ  ＥＰＤＣＣＨが、前記ＵＥＳＳ
ＥＰＤＣＣＨのレートマッチングパラメータとは異なるレートマッチングパラメータを有する、レートマッチングすることと
をさらに備える、請求項１に記載の方法。
[Ｃ１２]
メモリと、
前記メモリに結合された少なくとも１つのプロセッサであって、
共通探索空間（ＣＳＳ）拡張物理ダウンリンク制御チャネル（ＥＰＤＣＣＨ）のための第１の仮想セルＩＤを判断することと、
ユーザ機器探索空間（ＵＥＳＳ）ＥＰＤＣＣＨのための第２の仮想セルＩＤを判断することと、
前記判断された第１および第２の仮想セルＩＤに基づいてＥＰＤＣＣＨを処理することと
を行うように構成された少なくとも１つのプロセッサと
を備える、ワイヤレス通信のための装置。
[Ｃ１３]
前記第１の仮想セルＩＤが物理セルＩＤ（ＰＣＩ）と同じである、請求項１２に記載の装置。
[Ｃ１４]
前記少なくとも１つのプロセッサが、前記第１の仮想セルＩＤを静的に更新することと、前記第２の仮想セルＩＤを動的に更新することとを行うようにさらに構成された、請求項１２に記載の装置。
[Ｃ１５]
前記少なくとも１つのプロセッサが、前記ＣＳＳ  ＥＰＤＣＣＨのための複数の異なる仮想セルＩＤを判断することであって、前記複数の異なる仮想セルＩＤのうちの第１の仮想セルＩＤが第１のタイプの無線ネットワーク一時識別子（ＲＮＴＩ）に対応し、前記複数の異なる仮想セルＩＤのうちの第２の仮想セルＩＤが前記第１のタイプとは異なる第２のタイプのＲＮＴＩに対応する、判断することを行うようにさらに構成された、請求項１２に記載の装置。
[Ｃ１６]
前記第１のタイプのＲＮＴＩが、システム情報（ＳＩ）−ＲＮＴＩ、ページングＲＮＴＩ、またはランダムアクセスＲＮＴＩのうちの少なくとも１つを備え、前記第２のタイプのＲＮＴＩが、送信電力制御（ＴＰＣ）物理アップリンク共有データチャネル（ＰＵＳＣＨ）ＲＮＴＩまたはＴＰＣ物理アップリンク制御チャネル（ＰＵＣＣＨ）ＲＮＴＩのうちの少なくとも１つを備える、請求項１５に記載の装置。
[Ｃ１７]
前記少なくとも１つのプロセッサが、前記判断された第１の仮想セルＩＤをブロードキャストするようにさらに構成された、請求項１２に記載の装置。
[Ｃ１８]
前記少なくとも１つのプロセッサが、前記ＣＳＳ  ＥＰＤＣＣＨまたは前記ＵＥＳＳ  ＥＰＤＣＣＨのうちの少なくとも１つにおいてマルチメディアブロードキャストおよびマルチキャストサービス（ＭＢＭＳ）無線ネットワーク一時識別子（ＲＮＴＩ）をサポートするようにさらに構成された、請求項１２に記載の装置。
[Ｃ１９]
前記少なくとも１つのプロセッサが、前記ＣＳＳ  ＥＰＤＣＣＨに、より高い優先度を割り当てるようにさらに構成された、請求項１２に記載の装置。
[Ｃ２０]
前記少なくとも１つのプロセッサが、前記ＵＥＳＳ  ＥＰＤＣＣＨに、より高い優先度を割り当てるようにさらに構成された、請求項１２に記載の装置。
[Ｃ２１]
前記少なくとも１つのプロセッサが、所定のパラメータに基づいて前記ＣＳＳ  ＥＰＤＣＣＨおよび前記ＵＥＳＳ  ＥＰＤＣＣＨに優先度を付けるようにさらに構成された、請求項１２に記載の装置。
[Ｃ２２]
前記少なくとも１つのプロセッサが、
他の信号に割り当てられた少なくとも１つのリソース要素（ＲＥ）を判断することと、
前記ＣＳＳ  ＥＰＤＣＣＨを前記少なくとも１つのリソース要素にマッピングすることと、
前記マッピングされた少なくとも１つのリソース要素の周りの前記ＵＥＳＳ  ＥＰＤＣＣＨをレートマッチングすることであって、前記ＣＳＳ  ＥＰＤＣＣＨが、前記ＵＥＳＳ
ＥＰＤＣＣＨのレートマッチングパラメータとは異なるレートマッチングパラメータを有する、レートマッチングすることと
を行うようにさらに構成された、請求項１２に記載の装置。
[Ｃ２３]
ワイヤレスネットワークにおけるワイヤレス通信のためのコンピュータプログラム製品であって、
非一時的プログラムコードを記録した非一時的コンピュータ可読媒体を備え、前記プログラムコードが、
共通探索空間（ＣＳＳ）拡張物理ダウンリンク制御チャネル（ＥＰＤＣＣＨ）のための第１の仮想セルＩＤを判断するためのプログラムコードと、
ユーザ機器探索空間（ＵＥＳＳ）ＥＰＤＣＣＨのための第２の仮想セルＩＤを判断するためのプログラムコードと、
前記判断された第１および第２の仮想セルＩＤに基づいてＥＰＤＣＣＨを処理するためのプログラムコードと
を備える、非一時的コンピュータ可読媒体
を備える、コンピュータプログラム製品。
[Ｃ２４]
共通探索空間（ＣＳＳ）拡張物理ダウンリンク制御チャネル（ＥＰＤＣＣＨ）のための第１の仮想セルＩＤを判断するための手段と、
ユーザ機器探索空間（ＵＥＳＳ）ＥＰＤＣＣＨのための第２の仮想セルＩＤを判断するための手段と、
前記判断された第１および第２の仮想セルＩＤに基づいてＥＰＤＣＣＨを処理するための手段と
を備える、ワイヤレス通信のための装置。